(57)【要約】【課題】複数のコンテンツを繰り返し表示させる際におけるスケジュール設定の容易化または時間短縮化を図る。【解決手段】サーバ２０は、電子看板装置１０に繰り返し表示されるべき複数のコンテンツを含むコンテンツセットの設定を受け付け、設定されたコンテンツセットに含まれる複数のコンテンツが繰り返し表示されるべき表示期間の設定を受け付ける。【選択図】図１
2007310003.tif 000002
【特許請求の範囲】
【請求項１】
電子看板装置に繰り返し表示されるべき複数のコンテンツを含むコンテンツセットの設定を受け付けるコンテンツセット設定部と、
前記設定されたコンテンツセットに含まれる複数のコンテンツが繰り返し表示されるべき表示期間の設定を受け付ける表示期間設定部と、
を有することを特徴とする電子看板用情報処理システム。
【請求項２】
請求項１に記載の電子看板用情報処理システムであって、
前記設定された表示期間の間、前記コンテンツセットに含まれる複数のコンテンツを電子看板装置に繰り返し表示させる看板表示制御部をさらに有することを特徴とする電子看板用情報処理システム。
【請求項３】
コンピュータに、
電子看板装置に繰り返し表示されるべき複数のコンテンツを含むコンテンツセットの設定を受け付けるステップと、
前記設定されたコンテンツセットに含まれる複数のコンテンツが繰り返し表示されるべき表示期間の設定を受け付けるステップと、
を実行させることを特徴とする電子看板用情報処理プログラム。
【請求項４】
コンピュータに、
前記設定された表示期間の間、前記コンテンツセットに含まれる複数のコンテンツを電子看板装置に繰り返し表示させるステップをさらに実行させることを特徴とする請求項３記載の電子看板用情報処理プログラム。
【発明の詳細な説明】
【技術分野】
【０００１】
本発明は、電子看板装置に用いられる電子看板用情報処理システムに関する。
【背景技術】
【０００２】
店舗の出入り口等に設置され、広告等のコンテンツを順次切り替えて表示する電子看板装置が知られている。
【０００３】
特許文献１には、電子看板装置にコンテンツを表示させるシステムであって、コンテンツ毎に表示期間の設定を行うものが開示されている。
【０００４】
【特許文献１】特開２００３−３１６８８８号公報
【発明の開示】
【発明が解決しようとする課題】
【０００５】
上記特許文献１に記載されたスケジュール設定方法では、一連のコンテンツを繰り返し表示しようとする場合に、表示期間の設定を多数回行う必要があり、スケジュール設定に時間がかかる。例えば、一連のコンテンツＡ，Ｂ，Ｃを、Ａ→Ｂ→Ｃ→Ａ→Ｂ→Ｃ→・・・といったように繰り返し表示しようとする場合、コンテンツ毎に繰り返しの回数だけ表示期間の設定を行う必要がある。
【０００６】
そこで、本発明は、複数のコンテンツを繰り返し表示させる際におけるスケジュール設定の容易化または時間短縮化を図ることが可能な電子看板用情報処理システムを提供する。
【課題を解決するための手段】
【０００７】
本発明に係る電子看板用情報処理システムは、電子看板装置に繰り返し表示されるべき複数のコンテンツを含むコンテンツセットの設定を受け付けるコンテンツセット設定部と、前記設定されたコンテンツセットに含まれる複数のコンテンツが繰り返し表示されるべき表示期間の設定を受け付ける表示期間設定部と、を有することを特徴とする。
【０００８】
本発明の好適な態様では、前記設定された表示期間の間、前記コンテンツセットに含まれる複数のコンテンツを電子看板装置に繰り返し表示させる看板表示制御部をさらに有する。
【０００９】
本発明に係る電子看板用情報処理プログラムは、コンピュータに、電子看板装置に繰り返し表示されるべき複数のコンテンツを含むコンテンツセットの設定を受け付けるステップと、前記設定されたコンテンツセットに含まれる複数のコンテンツが繰り返し表示されるべき表示期間の設定を受け付けるステップと、を実行させることを特徴とする。
【００１０】
本発明の好適な態様では、コンピュータに、前記設定された表示期間の間、前記コンテンツセットに含まれる複数のコンテンツを電子看板装置に繰り返し表示させるステップをさらに実行させる。
【発明の効果】
【００１１】
本発明によれば、複数のコンテンツを繰り返し表示させる際におけるスケジュール設定の容易化または時間短縮化を図ることが可能な電子看板用情報処理システムを提供することができる。
【発明を実施するための最良の形態】
【００１２】
以下、本発明の実施の形態を図面に従って説明する。
【００１３】
図１は、本実施の形態に係る電子看板用情報処理システムを含む電子看板システム１の全体構成を示すブロック図である。図１において、電子看板システム１は、１台以上の電子看板装置１０と、サーバ２０とを有する。電子看板装置１０とサーバ２０とは、インターネット等のネットワークＮを介して互いに接続される。
【００１４】
電子看板装置１０は、店舗の出入り口や会社などの適宜の場所に設置され、広告や社員向け情報などの適宜のコンテンツを表示する装置である。コンテンツとしては、例えば、文字情報、静止画、動画などが挙げられる。
【００１５】
サーバ２０は、電子看板装置１０によるコンテンツの表示を制御する装置であり、例えば、１台以上のコンピュータにより実現される。
【００１６】
図２は、電子看板装置１０およびサーバ２０の機能構成を示すブロック図である。以下、図２に従って、電子看板装置１０およびサーバ２０の機能構成について具体的に説明する。
【００１７】
図２において、サーバ２０は、データ設定部２１、スケジュール記憶部２２、およびスケジュール計算部２３を有する。
【００１８】
データ設定部２１は、電子看板装置１０に繰り返し表示されるべき１つ以上のコンテンツを含むコンテンツセット（以下、「巡回セット」と称す）の設定と、当該巡回セットに含まれる複数のコンテンツが繰り返し表示されるべき表示期間の設定とを受け付ける。
【００１９】
具体的には、データ設定部２１は、不図示のユーザインタフェースを介してユーザからスケジュールデータの入力を受け付け、当該スケジュールデータをスケジュール記憶部２２に登録する。
【００２０】
ここで、スケジュールデータは、電子看板装置１０でのコンテンツ表示のスケジュールを示すデータである。このスケジュールデータには、巡回セットを示す１つ以上の巡回セットデータと、各巡回セットの表示の優先度を示す優先度データと、各巡回セットの表示期間を示す表示期間データとが含まれる。
【００２１】
巡回セットデータには、巡回セットを構成するコンテンツを示す１つ以上のコンテンツデータと、各コンテンツの表示順を示す表示順データと、各コンテンツの表示時間長を示す表示時間長データとが含まれる。
【００２２】
図２に示されるように、データ設定部２１は、巡回セットデータの入力を受け付ける巡回セット入力部２１ａと、当該巡回セットデータに対応する優先度データの入力を受け付ける優先度入力部２１ｂと、当該巡回セットデータに対応する表示期間データの入力を受け付ける表示期間入力部２１ｃとを含む。巡回セット入力部２１ａは、コンテンツデータの入力を受け付けるコンテンツ入力部２１ｄと、当該コンテンツデータに対応する表示順データの入力を受け付ける表示順入力部２１ｅと、当該コンテンツデータに対応する表示時間長データの入力を受け付ける表示時間長入力部２１ｆとを含む。
【００２３】
スケジュール記憶部２２は、データ設定部２１により設定されたスケジュールデータを記憶するデータベースである。
【００２４】
スケジュール計算部２３は、スケジュール記憶部２２を参照して、優先度データおよび表示期間データに基づき、記憶されている巡回セットデータの中から、電子看板装置１０に表示されるべき巡回セットデータを抽出し、当該巡回セットデータを電子看板装置１０に出力する。本実施の形態では、スケジュール計算部２３は、後述する電子看板装置１０の表示制御部１２からの問い合わせに応じて、巡回セットデータの抽出および出力を行う。
【００２５】
図２において、電子看板装置１０は、表示部１１および表示制御部１２を有する。
【００２６】
表示部１１は、コンテンツを表示する表示端末であり、例えば、液晶ディスプレイ、プラズマディスプレイ、電光掲示板装置などである。
【００２７】
表示制御部１２は、サーバ２０のスケジュール計算部２３と協働して、データ設定部２１により設定された各巡回セットについて、当該巡回セットに対して設定された表示期間の間、当該巡回セットに含まれる複数のコンテンツを表示部１１に繰り返し表示させる。また、表示制御部１２は、サーバ２０のスケジュール計算部２３と協働して、複数の巡回セットデータの表示期間が重なった場合には、優先度の高いものを表示部１１に表示させる。
【００２８】
なお、上記電子看板装置１０およびサーバ２０の各種機能は、例えば、ＲＯＭ（Read Only Memory）やハードディスク等の記録媒体に記録されたプログラムがメインメモリに読み出されてＣＰＵ（Central Processing Unit）に実行されることによって実現され得る。そして、このようなプログラムは、ＣＤ−ＲＯＭ等の適宜の記録媒体に記録されて配布されることも可能であるし、ネットワーク経由で配信されることも可能である。
【００２９】
また、電子看板装置１０とサーバ２０とは、例えば、インターネットを介してＷｅｂサービスで通信する。
【００３０】
次に、上記構成を有する電子看板システム１の動作について、スケジュールの設定とコンテンツの表示とに分けて具体的に説明する。
【００３１】
［スケジュールの設定］
まず、データ設定部２１は、サーバ２０の不図示の出力装置の画面（以下、「サーバ画面」と称す）上に、電子看板装置１０の一覧画面を表示させる。そして、データ設定部２１は、この一覧画面を介してユーザからスケジュール設定対象の電子看板装置１０の指定を受け付けると、以下のように、指定された電子看板装置１０についてのスケジュールデータの入力を受け付ける。
【００３２】
すなわち、データ設定部２１は、図３に示される巡回セット設定画面３００をサーバ画面上に表示させる。この巡回セット設定画面３００には、スケジュールに設定されている巡回セットの一覧を表示するための巡回セット一覧領域３０１と、「巡回セットを選択して追加」ボタン３０２と、「巡回セットを作成して追加」ボタン３０３と、「設定」ボタン３０４とが配置されている。
【００３３】
巡回セット設定画面３００上で「巡回セットを作成して追加」ボタン３０３が押下されると、データ設定部２１は、図４に示されるコンテンツ設定画面４００をサーバ画面上に表示させる。このコンテンツ設定画面４００には、巡回セットに設定されているコンテンツを一覧表示するためのコンテンツ一覧領域４０１と、当該巡回セットの優先度の入力を受け付けるための優先度選択プルダウンリスト４０２と、当該巡回セットの表示期間の入力を受け付けるための表示期間入力テキストボックス４０３と、「コンテンツを追加」ボタン４０４と、「設定」ボタン４０５とが配置されている。
【００３４】
コンテンツ設定画面４００上で「コンテンツを追加」ボタン４０４が押下されると、データ設定部２１は、図５に示されるコンテンツ追加画面５００をサーバ画面上に表示させる。このコンテンツ追加画面５００には、追加すべきコンテンツのコンテンツＩＤの入力を受け付けるためのコンテンツＩＤ入力テキストボックス５０１と、当該コンテンツの表示順の入力を受け付けるための表示順選択プルダウンリスト５０２と、当該コンテンツの表示時間長の入力を受け付けるための表示時間長入力テキストボックス５０３と、「設定」ボタン５０４とが配置されている。なお、上記コンテンツＩＤは、コンテンツを一意に識別するための識別情報であり、各コンテンツＩＤに対応するコンテンツ自体（例えば電子ファイル）は、予めサーバ２０に登録されているものとする。
【００３５】
コンテンツ追加画面５００上で、コンテンツＩＤ入力テキストボックス５０１にコンテンツＩＤが入力され、表示順選択プルダウンリスト５０２にて表示順が選択され、表示時間長入力テキストボックス５０３に表示時間長が入力された後、「設定」ボタン５０４が押下されると、データ設定部２１は、図６に示されるコンテンツ設定画面６００をサーバ画面上に表示させる。このコンテンツ設定画面６００では、上記画面５００上で入力されたデータがコンテンツ一覧領域４０１に反映されている。なお、図６には、コンテンツＩＤ「１」、表示順「１」、および表示時間長「１０分」が入力された場合が例示されている。
【００３６】
データ設定部２１は、上記「コンテンツを追加」ボタン４０４の押下から「設定」ボタン５０４の押下までの操作（以下、「コンテンツ追加操作」と称す）を繰り返し受け付けることにより、１つ以上のコンテンツを含む巡回セットを示す巡回セットデータの入力を受け付ける。すなわち、ユーザは、上記のコンテンツ追加操作を繰り返し行うことにより、巡回セットを設定することができる。
【００３７】
例えば、２つのコンテンツを含む巡回セットを設定したい場合、ユーザは、上記コンテンツ追加操作を２回行う。図７には、コンテンツ追加操作が２回行われた後のコンテンツ設定画面７００が示されている。図７において、コンテンツ一覧領域４０１には、２つのコンテンツに係る入力データが反映されている。
【００３８】
コンテンツ設定画面７００上で、優先度選択プルダウンリスト４０２にて優先度が選択され、表示期間入力テキストボックス４０３に表示期間が入力された後、「設定」ボタン４０５が押下されると、データ設定部２１は、図８に示される巡回セット設定画面８００をサーバ画面上に表示させる。この巡回セット設定画面８００では、上記画面７００上で入力されたデータが巡回セット一覧領域３０１に反映されている。具体的には、巡回セット一覧領域３０１には、上記設定された巡回セットを一意に識別するための巡回セットＩＤと、上記入力された優先度および表示期間とが対応付けて表示されている。ここで、巡回セットＩＤは、例えばデータ設定部２１によって各巡回セットに自動的に割り振られる。なお、図８には、巡回セットＩＤ「１」が割り振られ、優先度「０」および表示期間「全て」が入力された場合が例示されている。
【００３９】
データ設定部２１は、上記「巡回セットを作成して追加」ボタン３０３の押下から「設定」ボタン４０５の押下までの操作（以下、「巡回セット追加操作」と称す）を繰り返し受け付けることにより、１つ以上の巡回セットデータを含むスケジュールデータの入力を受け付ける。すなわち、ユーザは、上記の巡回セット追加操作を繰り返し行うことにより、スケジュールを設定することができる。
【００４０】
例えば、３つの巡回セットを含むスケジュールを設定したい場合、ユーザは、上記巡回セット追加操作を３回行う。図９には、巡回セット追加操作が３回行われた後の巡回セット設定画面９００が示されている。図９において、巡回セット一覧領域３０１には、３つの巡回セットに係る入力データが反映されている。
【００４１】
巡回セット設定画面９００上で「設定」ボタン３０４が押下されると、データ設定部２１は、上記一連の操作により入力されたデータをスケジュール記憶部２２に登録する。本実施の形態では、スケジュール記憶部２２は、図１０に示されるスケジュールデータテーブル２２ａと、図１１に示される巡回セットデータテーブル２２ｂと、図１２に示されるコンテンツデータテーブル２２ｃとを持ち、データ設定部２１は、入力されたデータをスケジュールデータテーブル２２ａおよび巡回セットデータテーブル２２ｂに記録する。
【００４２】
スケジュールデータテーブル２２ａには、図１０に示されるように、巡回セットＩＤと、優先度と、表示期間とが対応付けて記録される。
【００４３】
巡回セットデータテーブル２２ｂには、図１１に示されるように、巡回セットＩＤと、コンテンツＩＤと、表示順と、表示時間長とが対応付けて記録される。
【００４４】
コンテンツデータテーブル２２ｃには、図１２に示されるように、コンテンツ毎に、当該コンテンツのコンテンツＩＤと、当該コンテンツのコンテンツ名と、当該コンテンツのファイル名とが対応付けて記録される。本実施の形態では、コンテンツデータテーブル２２ｃには、適宜の手段により予めデータが記録されているものとする。
【００４５】
なお、巡回セット設定画面９００上で、巡回セット一覧領域３０１上で１つの巡回セットが選択され、「巡回セットを選択して追加」ボタン３０２が押下されると、データ設定部２１は、選択された巡回セットに係るコンテンツ設定画面をサーバ画面上に表示させる。ユーザは、このコンテンツ設定画面上で、巡回セットへのコンテンツの追加や、優先度や表示期間の変更など、巡回セットデータの変更を行うことができる。
【００４６】
［コンテンツの表示］
図１３は、本実施の形態に係る電子看板システム１のコンテンツ表示に関する動作手順を示すフローチャートである。以下、図１３に従って、電子看板システム１のコンテンツ表示に関する動作について説明する。
【００４７】
電子看板装置１０の表示制御部１２は、所定のタイミングで（例えば１０分毎に）、サーバ２０のスケジュール計算部２３に、巡回セット情報の問い合わせを行う（Ｓ１）。
【００４８】
サーバ２０のスケジュール計算部２３は、電子看板装置１０から上記問い合わせを受けると、スケジュール記憶部２２を参照して、当該電子看板装置１０に表示されるべき巡回セットデータを抽出する（Ｓ２）。具体的には、スケジュール計算部２３は、スケジュール記憶部２２に記憶されている１つ以上の巡回セットデータの中から、表示期間が現在時刻に対応し、かつ優先度が最大である巡回セットデータを抽出する。例えば、図１０に示される例では、現在時刻が１２：００〜１４：００である場合には、巡回セットＩＤ「２」の巡回セットデータが抽出され、１４：００〜１５：００である場合には、巡回セットＩＤ「３」の巡回セットデータが抽出され、それ以外の場合には、巡回セットＩＤ「１」の巡回セットデータが抽出される。
【００４９】
そして、スケジュール計算部２３は、抽出された巡回セットデータを、問い合わせ元の電子看板装置１０に配信する（Ｓ３）。
【００５０】
電子看板装置１０の表示制御部１２は、サーバ２０から巡回セットデータを受信し、当該巡回セットデータに基づいて表示部１１に対する表示制御を行う（Ｓ４）。すなわち、表示制御部１２は、当該巡回セットデータ中のコンテンツデータにより示される各コンテンツを、当該巡回セットデータ中の表示順データにより示される表示順で、当該巡回セットデータ中の表示時間長データにより示される表示時間長ずつ、切り替えて繰り返し表示するように、表示部１１を制御する。
【００５１】
上記の処理により、図１０〜図１２に示される例では、図１４に示されるようにコンテンツが表示される。すなわち、１２：００〜１４：００の期間では、コンテンツ１および３が、コンテンツ１→コンテンツ３→コンテンツ１→コンテンツ３→・・・といった具合に巡回表示される。１４：００〜１５：００の期間では、コンテンツ１および４が、コンテンツ１→コンテンツ４→コンテンツ１→コンテンツ４→・・・といった具合に巡回表示される。その他の期間では、コンテンツ１および２が、コンテンツ１→コンテンツ２→コンテンツ１→コンテンツ２→・・・といった具合に繰り返し表示される。
【００５２】
なお、好適な利用態様では、スケジュールを設定する際に、図１０に示されるように、優先度が最低であり、かつ表示期間が「全て」である巡回セットが、既定の巡回セットとして設定される。このような既定の巡回セットが設定されていれば、少なくとも既定の巡回セットが表示されることとなり、無表示期間が生じることがない。
【００５３】
［静止画コンテンツの表示］
以下、静止画コンテンツの表示の一例を示す。ここでは、静止画コンテンツＡ，Ｂ，Ｃで構成される巡回セットを表示する場合を例にとる。なお、いずれの静止画コンテンツの表示時間長も２分であり、巡回セットの表示期間は１０：００〜１０：３０であるものとする。
【００５４】
表示制御部１２は、ある静止画コンテンツを表示部１１に表示させると、これと同時にタイマによる計時を開始する。そして、タイマの計時時間が当該静止画コンテンツの表示時間長に達すると、表示部１１に表示される静止画コンテンツを次順の静止画コンテンツに切り替える。
【００５５】
また、表示制御部１２は、ある静止画コンテンツの表示中に視聴者から表示時間延長操作を受けると、タイマの計時時間をクリアし、タイマによる計時を開始する。そして、タイマの計時時間が当該静止画コンテンツの表示時間長に達すると、表示部１１に表示される静止画コンテンツを次順の静止画コンテンツに切り替える。上記の表示時間延長操作としては、例えば、表示部１１の画面上に触れる操作などが挙げられる。
【００５６】
したがって、表示期間（１０：００〜１０：３０）の間に表示時間延長操作が行われなかった場合には、図１５の上に示されるように、静止画コンテンツＡ，Ｂ，Ｃが５回繰り返し表示され、１０：３０で次の巡回セットに切り替わる。
【００５７】
一方、１回目の静止画コンテンツＡの表示中に、表示開始から１分経過時点で表示時間延長操作が行われた場合には、図１５の下に示されるようにコンテンツの表示が行われる。すなわち、静止画コンテンツＡが３分間表示され、静止画コンテンツＢおよびＣが２分間ずつ表示され、静止画コンテンツＡ，Ｂ，Ｃが３回繰り返し表示され、静止画コンテンツＡおよびＢが２分間ずつ表示され、静止画コンテンツＣが１分間表示され、１０：３０で次の巡回セットに切り替わる。すなわち、１回目の静止画コンテンツＡの表示時間が１分間延長され、５回目の静止画コンテンツＣの表示時間が１分間カットされる。
【００５８】
［動画コンテンツの表示］
以下、動画コンテンツの表示の一例を示す。ここでは、動画コンテンツＡ，Ｂ，Ｃで構成される巡回セットを表示する場合を例にとる。なお、いずれの動画コンテンツの表示時間長も２分であり、巡回セットの表示期間は１０：００〜１０：３０であるものとする。
【００５９】
表示制御部１２は、動画コンテンツを表示させる場合、視聴者による再生操作を受け付けるまで、当該動画コンテンツに係る静止画を表示させる。ここで、再生操作としては、例えば、表示部１１の画面上の再生ボタンの押下操作などが挙げられる。また、動画コンテンツに係る静止画としては、例えば、動画の一画面や、動画の概要を示す静止画などが挙げられる。
【００６０】
表示制御部１２は、動画コンテンツに係る静止画の表示中に視聴者による再生操作を受け付けると、当該動画コンテンツを動画再生する。そして、当該動画コンテンツの動画再生の終了後、一定の待機時間だけ当該動画コンテンツに係る静止画を表示させ、その後に次順の動画コンテンツに係る静止画を表示する。上記の待機時間は、再度再生操作が行われる場合を考慮したものであるが、省略されてもよい。すなわち、動画再生終了後、待機時間なく次順の動画コンテンツに係る静止画を表示させてもよい。なお、動画コンテンツに設定される表示時間長と動画再生時間とは、一致する必要はない。例えば、動画コンテンツの表示時間長が２分である場合、動画再生時間は２分に限定されない。
【００６１】
したがって、表示期間（１０：００〜１０：３０）の間に再生操作が行われなかった場合には、図１６の上に示されるように、動画コンテンツＡ，Ｂ，Ｃに係る静止画が巡回表示される。
【００６２】
一方、動画コンテンツＡに係る静止画の表示中に再生操作が行われた場合には、図１６の下に示されるようにコンテンツの表示が行われる。すなわち、動画コンテンツＡに係る静止画が表示され、その表示中に再生操作が行われると動画コンテンツＡの動画再生が行われ、動画再生終了後、一定の待機時間だけ動画コンテンツＡに係る静止画が表示され、その後に動画コンテンツＢに係る静止画が表示される。なお、動画再生中に当該巡回セットの表示期間が終了した場合には（１０：３０になった場合には）、動画再生を中止して、次の巡回セットを表示する。
【００６３】
なお、上記説明では、サーバ２０が電子看板装置１０からの問い合わせに応じて巡回セットデータを電子看板装置１０に配信する構成を示したが、サーバ２０は、自発的に巡回セットデータを電子看板装置１０に配信してもよい。この場合、サーバ２０は、定期的（例えば１０分毎）に配信してもよいし、巡回セットの切り替わりのタイミングに合わせて配信してもよい。
【００６４】
また、上記表示制御部１２と同様の機能は、サーバ２０側に設けられてもよい。すなわち、サーバ２０がスケジュールデータに従って適切なコンテンツを選択して電子看板装置１０に配信し、電子看板装置１０が当該コンテンツを表示する、という構成であってもよい。この構成では、サーバ２０は、コンテンツの表示の切り替えのタイミングに合わせて、コンテンツの配信を行うとよい。
【００６５】
また、上記スケジュール計算部２３と同様の機能は、電子看板装置１０側に設けられてもよい。すなわち、サーバ２０がスケジュールデータを電子看板装置１０に配信し、電子看板装置１０が当該スケジュールデータに従って適切なコンテンツを選択して表示する、という構成であってもよい。この構成では、サーバ２０は、スケジュールデータが更新された場合に、更新後のスケジュールデータを配信するとよい。
【００６６】
また、上記説明では、サーバ２０が１つのコンテンツを含む巡回セットの設定を受け付け可能である構成を示したが、サーバ２０は、１つのコンテンツを含む巡回セットの設定を受け付け不可能であってもよい。
【００６７】
以上のとおり、本実施の形態では、電子看板装置に繰り返し表示されるべき複数のコンテンツを含む巡回セットの設定を受け付け、当該巡回セットに含まれる複数のコンテンツが繰り返し表示されるべき表示期間の設定を受け付ける。このため、本実施の形態によれば、一連のコンテンツを繰り返し表示させる際におけるスケジュール設定の容易化または時間短縮化を図ることができる。分かり易く言えば、巡回セット単位で表示期間を設定することができるので、コンテンツ単位で表示期間を設定する場合に比べて、スケジュールの設定が容易になり、スケジュールの設定時間を短縮することができる。
【００６８】
また、コンテンツ毎に表示期間が設定される従来の構成では、あるコンテンツの表示期間を設定より延長する場合、後続のコンテンツの表示期間をずらしたり短縮したりすることが必要となり、スケジュールの変更が生じてしまう。これに対し、巡回セット毎に表示期間が設定される本実施の形態では、ある巡回セット中のあるコンテンツの表示期間を設定より延長する場合、当該巡回セット中で各コンテンツの表示期間が変わるだけであり、巡回セットの表示期間を変更する必要はなく、スケジュールの変更は生じない。このため、本実施の形態によれば、設定されたスケジュールに影響を与えることなく、コンテンツの表示期間を延長することができる。この結果、電子看板装置に対するユーザ操作によりコンテンツの表示期間を延長するシステムを容易に構築することが可能となる。また、同様の理由により、本実施の形態によれば、再生操作を受けてから動画コンテンツの動画再生を行う上述のシステムを容易に構築することが可能となる。
【００６９】
なお、本発明は、上記実施の形態に限定されるものではなく、本発明の要旨を逸脱しない範囲内で種々変更することができる。
【図面の簡単な説明】
【００７０】
【図１】実施の形態に係る電子看板用情報処理システムを含む電子看板システムの全体構成を示すブロック図である。
【図２】電子看板装置およびサーバの機能構成を示すブロック図である。
【図３】巡回セット設定画面を示す図である。
【図４】コンテンツ設定画面を示す図である。
【図５】コンテンツ追加画面を示す図である。
【図６】コンテンツ設定画面を示す図である。
【図７】コンテンツ設定画面を示す図である。
【図８】巡回セット設定画面を示す図である。
【図９】巡回セット設定画面を示す図である。
【図１０】スケジュールデータテーブルを示す図である。
【図１１】巡回セットデータテーブルを示す図である。
【図１２】コンテンツデータテーブルを示す図である。
【図１３】実施の形態に係る電子看板システムのコンテンツ表示に関する動作手順を示すフローチャートである。
【図１４】コンテンツの表示の一例を示す図である。
【図１５】静止画コンテンツの表示の一例を示す図である。
【図１６】動画コンテンツの表示の一例を示す図である。
【符号の説明】
【００７１】
１  電子看板システム、１０  電子看板装置、１１  表示部、１２  表示制御部、２０  サーバ、２１  データ設定部、２１ａ  巡回セット入力部、２１ｂ  優先度入力部、２１ｃ  表示期間入力部、２１ｄ  コンテンツ入力部、２１ｅ  表示順入力部、２１ｆ  表示時間長入力部、２２  スケジュール記憶部、２３  スケジュール計算部。
【図１】
2007310003.tif 000003
【図２】
2007310003.tif 000004
【図３】
2007310003.tif 000005
【図４】
2007310003.tif 000006
【図５】
2007310003.tif 000007
【図６】
2007310003.tif 000008
【図７】
2007310003.tif 000009
【図８】
2007310003.tif 000010
【図９】
2007310003.tif 000011
【図１０】
2007310003.tif 000012
【図１１】
2007310003.tif 000013
【図１２】
2007310003.tif 000014
【図１３】
2007310003.tif 000015
【図１４】
2007310003.tif 000016
【図１５】
2007310003.tif 000017
【図１６】
2007310003.tif 000018